(57)【要約】【課題】携帯電話機の音声ダイヤルにおけるタイムラグを考慮して音声ダイヤル機能を確実に使用可能とする「無線通信システム及び通信装置」を提供すること。【解決手段】携帯通信端末と情報センターとが相互に通信可能で、かつ、相互に通信可能な通信装置と携帯通信端末とにより音声ダイヤルが可能な無線通信システムにおいて、携帯通信端末は、通信装置と通信する第１の通信部と、情報センターと通信する第２の通信部と、第２の通信部を介して情報センターから音声ダイヤルにおけるタイムラグ情報を取得し、タイムラグ情報を第１の通信部を介して通信装置に送出する制御部とを有する。通信装置は、表示部と、通信部と、音声ダイヤルの要求があったとき、通信部を介して携帯通信端末から取得したタイムラグ情報を基に音声ダイヤルが可能になるまでの時間を算出し、音声ダイヤルが可能になったことを表示部の画面に表示させる制御部とを有する。【選択図】図４
2011155469.tif 000002
【特許請求の範囲】
【請求項１】
携帯通信端末と当該携帯通信端末に関する情報が保存されている情報センターとが相互に通信可能であり、かつ、当該携帯通信端末と相互に通信可能な通信装置とにより音声ダイヤルが可能な無線通信システムであって、
前記携帯通信端末は、
前記通信装置と通信する第１の通信部と、
前記情報センターと通信する第２の通信部と、
前記第２の通信部を介して前記情報センターから当該携帯通信端末の音声ダイヤルにおけるタイムラグ情報を取得し、当該タイムラグ情報を前記第１の通信部を介して前記通信装置に送出する制御部とを有し、
前記通信装置は、
表示部と、操作部と、
前記携帯通信端末と通信する通信部と、
前記操作部を介して音声ダイヤルの要求があったとき、前記通信部を介して前記携帯通信端末から取得した前記タイムラグ情報を基に、音声ダイヤルが可能になるまでの時間を算出し、音声ダイヤルが可能になったときに、その旨を表示部の表示画面に表示させる制御部と、
を有することを特徴とする無線通信システム。
【請求項２】
前記通信装置の制御部は、前記タイムラグ情報を基に、前記表示部の表示画面に前記音声ダイヤルが可能になるまでの時間を示すカウントダウン表示を表示させることを特徴とする請求項１に記載の無線通信システム。
【請求項３】
前記携帯通信端末の制御部は、前記通信装置と当該携帯通信端末とが接続されたと判定したとき、前記情報センターに対して当該携帯通信端末の音声ダイヤルに関するタイムラグ情報の取得を要求し、取得した前記タイムラグ情報を前記通信装置に送信することを特徴とする請求項１に記載の無線通信システム。
【請求項４】
前記携帯通信端末の制御部は、当該携帯通信端末の音声ダイヤルに関するタイムラグ情報を取得してから所定の期間経過したとき、当該タイムラグ情報を新たに取得することを特徴とする請求項３に記載の無線通信システム。
【請求項５】
表示部と、操作部と、
携帯通信端末の音声ダイヤルにおけるタイムラグ情報が格納された記憶部と、
前記操作部を介して音声ダイヤルの要求があったとき、前記記憶部に格納された前記タイムラグ情報を基に、音声ダイヤルが可能になるまでの時間を算出し、音声ダイヤルが可能になったときに、その旨を表示部の表示画面に表示させる制御部と、
を有することを特徴とする通信装置。
【請求項６】
前記制御部は、前記タイムラグ情報を基に、前記表示部の表示画面に前記音声ダイヤルが可能になるまでの時間を示すカウントダウン表示を表示させることを特徴とする請求項５に記載の通信装置。
【発明の詳細な説明】
【技術分野】
【０００１】
本発明は、無線通信システム及び通信装置に関し、特に、音声ダイヤル機能を備え、音声ダイヤルが可能な状態を明示可能な無線通信システム及び通信装置に関する。
【背景技術】
【０００２】
近年、ブルートゥース（登録商標）に代表される近距離無線データ通信技術の開発が進められ、この種の技術を採用した機器が開発されてきている。携帯電話のような移動体端末にも採用されており、例えば、携帯電話とＰＣ（パーソナルコンピュータ）との間で接続ケーブルを使用せずにデータの転送を行うことが可能となっている。また、車両内で使用する場合には、車載機と携帯電話との間でケーブルを使用せずに無線接続してハンズフリーシステムを構成し、ハンズフリー通話を行うことができるようになっている。
【０００３】
このように、接続された異なる機器の間で、音声データ等の各種データの送受信を行うときには、各機器でデータの受信が可能になるように、機器間で同期をとることが必要となる。
【０００４】
例えば、特許文献１には、通信で費やす通信時間（遅延時間）を考慮してサーバから取得したサーバ時刻を近似し、近似されたサーバ時刻と携帯電話の内部時刻とを用いて携帯電話の基準となる時刻をサーバ時刻に同期させる技術が記載されている。
【０００５】
また、特許文献２には、自動販売機の時刻を正確に設定するために、親送受信機が通信のタイムラグを考慮してセンターから受信した設定時刻データを修正し、修正した設定時刻データを新しい設定時刻データとして自動販売機の時刻を設定する子送受信機に送信する技術が記載されている。
【０００６】
また、特許文献３には、カメラシステムにおいて、２つのストロボの発光開始時間の違いを考慮して発光開始を同期させる技術が記載されている。
【先行技術文献】
【特許文献】
【０００７】
【特許文献１】特開２００５−１０６６９６号公報
【特許文献２】特開平１１−２１３２２２号公報
【特許文献３】特開２００５−１３４８５０号公報
【発明の概要】
【発明が解決しようとする課題】
【０００８】
上記したようなハンズフリーシステムでは、ユーザが携帯電話を手動操作することなく、ユーザの発生する音声を認識してダイヤル発信を行う音声ダイヤルシステムが実現されている。
【０００９】
この音声ダイヤルシステムは、車載機と音声認識機能等を備えた携帯電話とが接続され、音声ダイヤル機能を使用する旨の指示があったときに実行されるようになっている。
【００１０】
しかし、携帯電話によっては音声ダイヤル機能の要求を受けて音声ダイヤルの実行開始の通知をしたとしても、実際には音声ダイヤルを実行する準備ができていない状態の場合もある。その状態でユーザが発話したとしても、携帯電話側で音声認識処理が行われないため正常に機能することができない。
【００１１】
本発明は、かかる従来技術の課題に鑑みなされたものであり、携帯電話の音声ダイヤルにおけるタイムラグを考慮して音声ダイヤル機能を確実に使用可能とする無線通信システム及び通信装置を提供することを目的とする。
【課題を解決するための手段】
【００１２】
上述した従来技術の課題を解決するため、本発明の一形態によれば、携帯通信端末と当該携帯通信端末に関する情報が保存されている情報センターとが相互に通信可能であり、かつ、当該携帯通信端末と相互に通信可能な通信装置とにより音声ダイヤルが可能な無線通信システムであって、前記携帯通信端末は、前記通信装置と通信する第１の通信部と、前記情報センターと通信する第２の通信部と、前記第２の通信部を介して前記情報センターから当該携帯通信端末の音声ダイヤルにおけるタイムラグ情報を取得し、当該タイムラグ情報を前記第１の通信部を介して前記通信装置に送出する制御部とを有し、前記通信装置は、表示部と、操作部と、前記携帯通信端末と通信する通信部と、前記操作部を介して音声ダイヤルの要求があったとき、前記通信部を介して前記携帯通信端末から取得した前記タイムラグ情報を基に、音声ダイヤルが可能になるまでの時間を算出し、音声ダイヤルが可能になったときに、その旨を表示部の表示画面に表示させる制御部と、を有することを特徴とする無線通信システムが提供される。
【００１３】
この形態に係る無線通信システムにおいて、前記通信装置の制御部は、前記タイムラグ情報を基に、前記表示部の表示画面に前記音声ダイヤルが可能になるまでの時間を示すカウントダウン表示を表示させるようにしてもよく、前記携帯通信端末の制御部は、前記通信装置と当該携帯通信端末とが接続されたと判定したとき、前記情報センターに対して当該携帯通信端末の音声ダイヤルに関するタイムラグ情報の取得を要求し、取得した前記タイムラグ情報を前記通信装置に送信するようにしてもよく、前記携帯通信端末の制御部は、当該携帯通信端末の音声ダイヤルに関するタイムラグ情報を取得してから所定の期間経過したとき、当該タイムラグ情報を新たに取得するようにしてもよい。
【００１４】
また、本発明の他の形態によれば、表示部と、操作部と、携帯通信端末の音声ダイヤルにおけるタイムラグ情報が格納された記憶部と、前記操作部を介して音声ダイヤルの要求があったとき、前記記憶部に格納された前記タイムラグ情報を基に、音声ダイヤルが可能になるまでの時間を算出し、音声ダイヤルが可能になったときに、その旨を表示部の表示画面に表示させる制御部と、を有することを特徴とする通信装置が提供される。
【００１５】
この形態に係る通信装置において、前記制御部は、前記タイムラグ情報を基に、前記表示部の表示画面に前記音声ダイヤルが可能になるまでの時間を示すカウントダウン表示を表示させるようにしてもよい。
【発明の効果】
【００１６】
本発明では、音声ダイヤル機能を備えた携帯通信端末（携帯電話）と通信装置とが接続され、ユーザから通信装置に対して音声ダイヤル機能の実施が要求されたとき、接続されている携帯電話の音声ダイヤルにおけるタイムラグ情報を取得し、そのタイムラグに応じて音声ダイヤルが可能になったことをユーザに知らせるようにしている。これにより、ユーザは携帯電話の音声ダイヤル機能が実施可能になる時点を容易に把握でき、音声ダイヤル実施可能前に発話されることによる音声の誤認識を防止し、音声ダイヤル機能を確実に使用することが可能になる。
【図面の簡単な説明】
【００１７】
【図１】本発明の一実施形態に係る無線通信システムの構成を概略的に示すブロック図である。
【図２】図１の無線通信システムにおける車載装置の一例を示す図である。
【図３】図１の無線通信システムにおける車載装置と携帯電話とが接続されたときに行う携帯電話に関連する情報取得処理の一例を示すフロー図である。
【図４】図１の無線通信システムにおけるボイスダイヤル処理の一例を示すフロー図である。
【発明を実施するための形態】
【００１８】
以下、本発明の実施形態について、添付の図面を参照しながら説明する。
【００１９】
図１は、本発明の一実施形態に係る無線通信システム１００の構成を概略的に示したものである。無線通信システム１００は、車載装置１０と、携帯通信端末である携帯電話２０と、情報センター３０とで構成されている。
【００２０】
車載装置１０と携帯電話２０とは短距離無線接続手段であるブルートゥースで接続され、携帯電話と情報センターはインターネットを介して接続されている。車載装置１０と携帯電話２０は無線接続に限らず有線接続でもよい。
【００２１】
また、本実施形態の携帯電話２０は、音声ダイヤル（ボイスダイヤル）機能を備えているものとする。すなわち、発呼する際に通話先の相手の名称や電話番号などを音声入力し、入力された音声の認識処理をして、予め登録されたユーザの音声のときに、所望の相手先に自動的に発呼を行う機能を備えている。
【００２２】
また、本実施形態では携帯通信端末として携帯電話２０を例にとって説明しているが、携帯通信端末としては携帯電話２０の他に、ＰＨＳ(Personal Handy-phone System)、無線通信機能を搭載したＰＤＡ(Personal Digital Assistants)やモバイルノートパソコンなどもボイスダイヤル機能を備えていれば適用可能である。
【００２３】
車載装置１０は、表示部１１と、音声入力部１２と、操作部１３と、記憶部１４と、通信制御部１５と、制御部１６で構成されている。
【００２４】
表示部１１は、例えば、ＬＣＤ（液晶ディスプレイ）等を備えた表示装置を備えている。この表示画面には、オーディオ・ビデオ機能が動作しているときには楽曲等の情報が表示される。
【００２５】
音声入力部１２は、マイクロフォンで構成され、ボイスダイヤルを行う際に、ユーザの送話音声を集音して制御部１６に送出する。なお、制御部１６に音声認識機能を持たせ、操作部１３の手動操作によるボイスダイヤルの指示を行うかわりに、音声入力部１２を介して音声によりボイスダイヤルの指示を行うようにしてもよい。
【００２６】
操作部１３は、ユーザが指示した情報を入力するためのものであり、例えば、楽曲の再生・早送りボタンや、ボイスダイヤルを選択するボイスダイヤルボタン等が含まれている。また、表示部１１の表示画面にタッチパネルが設けられているとき、そのタッチパネルが操作部１３として機能する。
【００２７】
記憶部１４は、その記憶媒体として、例えばＨＤＤや半導体メモリを使用し、電話情報を記録する領域（電話情報記録部１４ａ）と、音声情報を記録する領域（音声記録部１４ｂ）とを備えている。電話情報記録部１４ａと音声記録部１４ｂは、一つの記憶媒体の記録エリアを区切って領域を確保するようにしてもよいし、別個の記憶媒体を使用するようにしてもよい。
【００２８】
通信制御部１５は、送信部１５ａと受信部１５ｂとを含み、携帯電話２０との間での無線通信の制御を行う。送信部１５ａは、携帯電話２０へ動作の要求を送信し、受信部１５ｂは携帯電話２０からの携帯電話２０に関する情報を受信する。
【００２９】
制御部１６は、例えば、マイクロコンピュータ等により構成され、上記各部の制御を行う。すなわち、操作部１３を介してユーザの所望する操作を取得し、それに応じて携帯電話２０に情報を送出したり、携帯電話２０から情報を取得したりする。また、音声入力がされたときに、取得した音声データを音声記録部１４ｂに記憶させたり、記憶させた音声データを携帯電話２０に送出する時間を算出して、適切な時間に音声データを携帯電話２０に送出する処理などを行う。
【００３０】
携帯電話２０は、通話／通信制御部２１と、表示部２２と、操作部２３と、音声認識部２４と、記憶部２５と、通信制御部２６と、制御部２７を含んで構成されている。
【００３１】
通話／通信制御部２１は、アンテナ（不図示）を通じ、移動体通信網の基地局（不図示）を介して他の携帯電話（不図示）との通話を制御したり、情報センター３０とのデータの通信を制御する。
【００３２】
表示部２２は、例えば、ＬＣＤ（液晶ディスプレイ）等を備えた表示装置を備え、携帯電話２０の動作における各種情報が表示される。
【００３３】
操作部２３は、携帯電話２０に設けられた各種ボタンで構成され、どのボタンが押下されたかの情報を制御部２７に送信する。
【００３４】
音声認識部２４は、通信制御部２６の受信部２６ｂを介して受信した車載装置１０からの音声データを音声認識する。音声認識部２４では、ユーザの発話した音声の認識処理を、記憶部２５に保存されている音声認識辞書を利用した周知の方法によって行う。すなわち、入力された音声を音響分析して特徴量を抽出し、特徴量と音響モデルとを照合して複数の発音記号列を得る。この発音記号列を基に認識対象となっている語彙の中から尤もらしい語彙を選択する。
【００３５】
記憶部２５は、電話帳やメールデータ、ボイスダイヤル時に使用される音声登録されたボイスタグなどの携帯電話２０における情報を保持する。
【００３６】
通信制御部２６は、送信部２６ａ及び受信部２６ｂを含み、携帯電話２０の通話／通信回線以外の無線通信を行う。例えば、車載装置１０との間でブルートゥースによる無線通信を行う。通信制御部２６のうち送信部２６ａは、車載装置１０へ携帯電話２０における動作結果を送信する。また、通信制御部２６のうちの受信部２６ｂは、車載装置１０からボイスダイヤルなどの要求を受信する。
【００３７】
制御部２７は上記各部の制御を行う。すなわち、車載装置１０からボイスダイヤルの要求があると、携帯電話２０のボイスダイヤルに関する情報（ボイスダイヤルの要求を受けてからボイスダイヤルの機能が実行可能になるまでのタイムラグの情報）を車載装置１０へ送出したり、車載装置１０からユーザの音声を取得して、音声認識部２４に音声認識を行わせ、ボイスダイヤルを実行したりする。
【００３８】
情報センター３０は、通信制御部３１と、記憶部３２と、通信制御部３１及び記憶部３２を制御する制御部３３とを含んでいる。
【００３９】
通信制御部３１は、情報入力部３１ａと情報送信部３１ｂを含んで構成され、情報入力部３１ａは、携帯電話２０からの情報取得要求を受け付ける。情報送信部３１ｂは、携帯電話２０に対して、携帯電話２０のボイスダイヤル機能に関連するデータの送信を行う。
【００４０】
記憶部３２は、例えばハードディスクで構成され、携帯電話２０に関するアプリケーションの情報やプログラム、音声ダイヤルに関するタイムラグの情報等が携帯電話２０の機種毎に格納されている。
【００４１】
このように構成された無線通信システム１００において、車載装置１０の音声入力部１２や操作部１３を介してボイスダイヤルを実行する旨の要求があったとき、携帯電話２０におけるボイスダイヤルのタイムラグに関する情報を基にボイスダイヤルが実施可能な時間を算出し、ボイスダイヤルが可能になったときにその旨を表示部１１の画面に出力する。
【００４２】
以下に、本実施形態にかかる無線通信システム１００において行う、ボイスダイヤル処理について、図２から図４を参照しながら説明する。
【００４３】
図２は、車載装置１０の一例としてのヘッドユニット（表示機能付き操作ユニット）４０のフロントパネルを示した図である。図２（ａ）に示すように、フロントパネルには、操作ボタン４０ａ及び表示画面４０ｂで構成されている。このヘッドユニットは、ｉＰｏｄ（登録商標）などの外部機器と接続可能であり、接続した機器からの楽曲等の情報は記憶部１４に格納される。操作ボタン４０ａの指示により記憶部１４に格納された楽曲が再生されたり、表示画面４０ｂにその楽曲のタイトル等の情報が表示される。また、ヘッドユニット４０はブルートゥース接続により携帯電話２０とも接続可能となっている。
【００４４】
図２（ｂ）は、ヘッドユニット４０と携帯電話２０とがブルートゥース等により接続された後、ヘッドユニット４０の操作ボタン４０ａのうちの「ボイスダイヤルボタン」４３を選択し、ボイスダイヤルが可能になった状態を示している。「ボイスダイヤルボタン」４３が選択されると、ヘッドユニット４０は接続されている携帯電話２０に対してボイスダイヤル機能の実行を要求する。その後、携帯電話２０からボイスダイヤル実行可能の通知を受けると、ボイスダイヤルが開始可能であることを示す旨のボイスダイヤル実行可能マーク４１を表示画面４０ｂに出力する。
【００４５】
本実施形態では、ボイスダイヤルが開始可能であることを、予め取得した携帯電話２０のボイスダイヤルにおけるタイムラグ情報を基にボイスダイヤル実行要求時点からの時間を考慮して、実際のボイスダイヤルが可能になったときにボイスダイヤル実行可能マーク４１の表示を行う。
【００４６】
また、図２（ｃ）に示すように、実際にボイスダイヤルが可能になるまでの間、あと何秒でボイスダイヤル開始可能になるかをカウントダウン表示４２で表示するようにしてもよい。
【００４７】
次に、携帯電話２０のボイスダイヤルにおけるタイムラグ情報の取得処理を含むボイスダイヤル実行処理について説明する。
【００４８】
図３及び図４は、ボイスダイヤルに関する携帯電話２０の情報を取得する処理の一例を示すフロー図である。これらのフロー図では、車載装置１０と携帯電話２０との間、又は携帯電話２０と情報センター３０との間における処理の流れは破線で示している。
【００４９】
図３は、車載装置１０と携帯電話２０との間での接続処理のフロー図を示している。車載装置１０及び携帯電話２０の双方でブルートゥース機能のスイッチがオンされるなどの接続要求があると、車載装置１０と携帯電話２０との間でペアリング処理（ステップＳ１０）を行う。ペアリング処理では、同期確立フェーズにおける問い合わせシーケンス及び呼び出しシーケンスが順に実行され、車載装置１０に対する携帯電話２０のピコネット内同期が確立される。ピコネット内同期が確立された後、ブルートゥース待ち受けモードに移行する。このとき、携帯電話２０の動作モードが「ハンズフリー通話モード」になった旨のメッセージを表示部１１の画面に表示するようにしてもよい。
【００５０】
ペアリングが確立した後、車載装置１０はステップＳ１１において携帯電話２０に携帯電話情報の取得を要求する。制御部１６で車載装置１０の状態（携帯電話２０とのペアリングが確立していること）を判断し、通信制御部１５（送信部１５ａ）を介してペアリングが確立している携帯電話２０に対して要求信号を送出する。
【００５１】
次のステップＳ１２において、携帯電話２０の制御部２７は携帯電話２０に関する情報の取得処理を行う。この情報としては、ボイスダイヤルに関するタイムラグの情報や、携帯電話２０のアプリケーションの更新情報などが含まれている。このような情報を、携帯電話２０に関する情報を提供している情報センター３０に問い合わせる処理を行う。
【００５２】
情報センター３０の制御部３３は、ステップＳ１３において、携帯電話２０から情報の提供を要求されたとき、その携帯電話２０の機種の情報を用いて、記憶部３３に格納されているタイムラグ等の情報を検索する。
【００５３】
次のステップＳ１４において、情報センター３０の制御部３３は、ステップＳ１３で取得した携帯電話２０に関する情報を携帯電話２０に通知する。
【００５４】
次のステップＳ１５において、携帯電話２０の制御部２７は、携帯電話２０に関する情報を情報センター３０から取得し、車載装置１０へ取得した情報を送出する。
【００５５】
次のステップＳ１６において、車載装置１０の制御部１６は、携帯電話２０から携帯電話２０に関する情報を受信し、この情報をステップＳ１７において記憶部１４の電話情報記録部１４ａに格納する。
【００５６】
このようにして、車載装置１０と接続された携帯電話２０のボイスダイヤルのタイムラグに関する情報が車載装置１０に取得される。
【００５７】
図４は、ボイスダイヤル処理の一例を示すフロー図である。この図４では、携帯電話２０のボイスダイヤルに関する情報を情報センター３０から取得した後の処理を示しており、車載装置１０と携帯電話２０との間の処理の流れは破線で示している。
【００５８】
まずステップＳ２１において、「ボイスダイヤルボタン」４３が押下されたことを判断する。この判断は、ユーザが押下したボタンの位置等の情報を操作部１３から制御部１６に送出し、制御部１６がその信号を基に判断する。
【００５９】
次のステップＳ２２において、車載装置１０の制御部１６は、ユーザの要求がボイスダイヤルの実行要求であることを判定し、通信制御部１５（送信部１５ａ）から携帯電話２０に対してボイスダイヤル実行要求信号を送出する。
【００６０】
次のステップＳ２３において、ボイスダイヤルのタイムラグ調整処理を行う。例えば、車載装置１０の制御部１６は、ステップＳ２２においてボイスダイヤル実行要求をした時点から制御部１６に内蔵されているタイマーにより時間を計時し、記憶部１４から抽出した携帯電話２０のタイムラグの時間と同一になるまでボイスダイヤルの開始表示は行わずに待機する。
【００６１】
また、取得したタイムラグの時間を基に、ボイスダイヤルが実行可能な時間までのカウントダウン表示を表示部１１の画面に出力するようにしてもよい。
【００６２】
また、車載装置１０にスピーカを設け、音声ダイヤル開始までの時間や、音声ダイヤルが可能になったことを音声で告知するようにしてもよい。
【００６３】
一方、ステップＳ２４において、携帯電話２０の制御部２７は車載装置１０から送出されたボイスダイヤル実行要求信号を取得し、ボイスダイヤル実行処理を開始する。
【００６４】
次のステップＳ２５において、携帯電話２０の制御部２７は、ボイスダイヤルの実行を受け付けた旨の信号を車載装置１０に送出する。
【００６５】
次のステップＳ２６において、車載装置１０の制御部１６は、携帯電話２０からボイスダイヤルの実行を受け付けた旨の信号を受信すると、ステップＳ２７において、ボイスダイヤル開始の表示処理を行う。すなわち、表示部１１の表示画面にボイスダイヤルが可能である旨の表示、例えば、「ＳＰＥＡＫ」４１を表示する。また、表示画面にカウントダウン表示４２が表示されているときは、カウントダウン表示後にボイスダイヤル実行可能マーク「ＳＰＥＡＫ」４１の表示をする。
【００６６】
その後、車載装置１０は音声入力部１２を介してユーザの音声を入力し、ユーザの音声入力があったとき（ステップＳ２８でＹＥＳ）、ステップＳ２９において、入力された音声を通信制御部１５の送信部１５ａを介して携帯電話２０に送出する。すなわち、ユーザがボイスタグとして登録されている通話先の相手方の氏名や電話番号を発話すると、車載装置１０の音声入力部１２を介して携帯電話２０に発話音声を送出する。
【００６７】
ステップＳ３０において、携帯電話２０は入力された音声に対してボイスダイヤル処理を実行する。すなわち、携帯電話２０の制御部２７は取得した音声を音声認識部２４において音声解析を行わせ、音声認識結果等を取得する。
【００６８】
次のステップＳ３１において、ステップＳ３０で解析されたユーザ音声の解析結果を基に、音声が予め登録してあるユーザの音声か否かを判定する。音声認識部２４において、予め登録された登録音声パターンと、ユーザの入力音声パターンとの類似度を算出し、所定の類似度が得られないとき、ユーザの音声が予め登録されたユーザの音声でないと判定する。
【００６９】
判定結果が予め登録してあるユーザの音声入力に該当しないときは、ステップＳ３２に移行してボイスダイヤル処理を終了し、ボイスダイヤル終了の旨の信号を車載装置１０に送出する。判定結果がユーザの音声入力に該当するときは、ステップＳ３３に移行し、解析結果を基に携帯電話２０の発信処理を行う。すなわち、予め記憶部２５に格納されている電話帳から、認識された氏名に対応する電話番号を検索し、検索した電話番号に対する自動発信が行われる。
【００７０】
発信処理が行われたときは、ステップＳ３４において、発信が行われている旨の信号を車載装置１０に送出し、ステップＳ３５において車載装置１０はボイスダイヤル処理を終了する。
【００７１】
以上説明したように、本実施形態の無線通信システムでは、音声ダイヤル（ボイスダイヤル）機能を備えた携帯通信端末（携帯電話）と車載装置とが接続され、ユーザから車載装置に対して音声ダイヤル機能の実施が要求されたとき、接続されている携帯電話の音声ダイヤルにおけるタイムラグ情報を取得し、そのタイムラグに応じて音声ダイヤルが可能になったことをユーザに知らせるようにしている。
【００７２】
これにより、ユーザは携帯電話の音声ダイヤル機能が実施可能になる時点を容易に把握でき、音声ダイヤル実施可能前に発話されることによる音声の誤認識を防止し、音声ダイヤル機能を確実に使用することが可能となる。
【００７３】
なお、上記実施形態では、車載装置、携帯電話及び情報センターで無線通信システムが構成される場合を例にとって説明したが、車載装置に限らず、携帯電話と通信可能な装置であれば室内に据え付けられたオーディオ装置等であってもよい。
【００７４】
また、図３に示した車載装置１０と携帯電話２０との接続処理では、車載装置１０と携帯電話２０とが接続されたときに、携帯電話２０から携帯電話２０に関する情報を情報センター３０から取得するようにしているが、接続した際に常に行うようにしてもよいし、最初に接続したときに一度だけ携帯電話２０に関する情報を取得するようにしてもよい。また、例えば、前回携帯電話２０に関する情報を取得してから１カ月経過した場合など所定の期間毎に行うようにしてもよい。
【００７５】
また、上記実施形態において、音声ダイヤルの指示があった後、音声ダイヤル開始までに時間がかかる場合、ボイスダイヤルが可能な旨の表示が出力される前にユーザが相手方の氏名を発話する可能性もある。その場合に、発話した内容を有効に利用するようにしてもよい。すなわち、発話された氏名を車載装置１０の記憶部１４に格納しておき、音声ダイヤルが可能になった後に記憶部１４に格納した氏名を携帯電話２０に送出するようにしてもよい。
【符号の説明】
【００７６】
１０…車載装置、
１１…表示部、
１２…音声入力部、
１３…操作部、
１４…記憶部、
１５…通信制御部、
１６…制御部、
２０…携帯電話、
２１…通話／通信制御部、
２４…音声認識部、
２６…通信制御部、
２７…制御部、
３０…情報センター、
３１…通信制御部、
３２…記憶部、
３３…制御部、
４０…ヘッドユニット、
４０ｂ…表示画面、
４１…ボイスダイヤル実行可能マーク、
４２…カウントダウン表示、
４３…ボイスダイヤルボタン、
１００…無線通信システム。
【図１】
2011155469.tif 000003
【図２】
2011155469.tif 000004
【図３】
2011155469.tif 000005
【図４】
2011155469.tif 000006